(57)【要約】【課題】エンドハウジングのハウジング本体への取付構造を簡単な構造とし、コスト低減を図る。【解決手段】ポンプ室３２を有するポンプハウジング１２は洗浄液Ｗを貯留するためのウォッシャタンク４２に形成された取付孔４４に挿入されて少なくともポンプ室３２がウォッシャタンク４２内に位置して取り付けられているため、ポンプ室３２内もポンプ室３２外も共にウォッシャタンク４２の洗浄液Ｗに浸されている。そのため、ポンプ室３２を構成するハウジング本体１４とエンドハウジング１６との取り付けにおいては水密性を確保する必要は無く、エンドハウジング１６は、閉塞壁部３０に形成された弾性係合片４８が周壁部２６に形成された被係合部５０に係合されることで、ハウジング本体１４に取り付けられている。従って、ハウジング本体１４とエンドハウジング１６との取付構造が簡単であるので、コスト低減を図ることができる。【選択図】図１
2008265485.tif 000002
【特許請求の範囲】
【請求項１】
モータが収容されたモータ室と前記モータによって回転されるインペラが収容されたポンプ室とを有するポンプハウジングが、液体を貯留するためのタンクに形成された取付孔に挿入されて少なくとも前記ポンプ室が前記タンク内に位置して取り付けられたポンプ装置において、
前記ポンプハウジングは、前記ポンプ室の周壁部が形成されたハウジング本体と、前記周壁部の開口を閉塞して前記周壁部とで前記ポンプ室を構成すると共に前記ポンプ室内へ前記液体が吸入されるための吸入孔が形成されたエンドハウジングと、を有し、
前記周壁部及び前記エンドハウジングの一方に形成された弾性係合片が、前記周壁部及び前記エンドハウジングの他方に形成された被係合部に係合されて、前記ハウジング本体に前記エンドハウジングが取り付けられたことを特徴とするポンプ装置。
【請求項２】
前記ハウジング本体及び前記エンドハウジングの一方は、前記エンドハウジングの前記ハウジング本体への取付状態において、前記エンドハウジングを前記ハウジング本体に対し前記周壁部の高さ方向に付勢する付勢部を有することを特徴とする請求項１に記載のポンプ装置。
【請求項３】
前記ハウジング本体と前記エンドハウジングとの間には、前記エンドハウジングの前記ハウジング本体への取付状態において、前記エンドハウジングを前記ハウジング本体に対し前記周壁部の高さ方向に付勢する付勢部材が設けられていることを特徴とする請求項１に記載のポンプ装置。
【発明の詳細な説明】
【技術分野】
【０００１】
本発明は、ポンプ装置に係り、特に、インペラが収容されたポンプ室を有するポンプハウジングが、液体を貯留するためのタンクに形成された取付孔に挿入されて少なくともポンプ室がタンク内に位置して取り付けられたポンプ装置に関する。
【背景技術】
【０００２】
従来、ポンプ装置としては、例えば、次のものがある（例えば、特許文献１、特許文献２参照）。例えば、特許文献１に記載のポンプ装置は、インレットをタンクの開口に取り付けるようにした外付けタイプとされている。このタイプのポンプ装置では、モータ室やポンプ室がタンクの外部に位置して取付られており、インレットからポンプ室へ流入した洗浄液はインペラによって圧力が高められてアウトレットから吐出されるため、ポンプ室は水密性を確保して形成される必要があった。そのため、ポンプハウジングのポンプ室を形成するボトムハウジングはハウジング本体に嵌合されると共に超音波溶着や熱溶着などによって完全なシール性を保って接合されており、このことがコスト低減の妨げとなっていた。
【０００３】
一方、特許文献２に記載のポンプ装置は、ポンプ室やモータ室の大部分がタンク内に位置する状態で取り付けられた、所謂、インタンクタイプとされている。このタイプのポンプ装置では、ポンプ室を構成するポンプハウジングにインレットとなる吸入孔が形成されており、インペラの回転によって吸入孔からポンプ室に洗浄液が吸入される構成となっている。この構成の場合も、ポンプハウジングはメインハウジングに嵌合されると共に超音波溶着や熱溶着などによって完全なシール性を保って接合されており、このことがコスト低減の妨げとなっていた。
【特許文献１】特開平１１−３４２８３３号公報
【特許文献２】特開２００３−１７０８１６号公報
【発明の開示】
【発明が解決しようとする課題】
【０００４】
本発明は、上記事情に鑑みてなされたものであって、その目的は、コスト低減を図ることが可能なポンプ装置を提供することにある。
【課題を解決するための手段】
【０００５】
前記課題を解決するために、請求項１に記載のポンプ装置は、モータが収容されたモータ室と前記モータによって回転されるインペラが収容されたポンプ室とを有するポンプハウジングが、液体を貯留するためのタンクに形成された取付孔に挿入されて少なくとも前記ポンプ室が前記タンク内に位置して取り付けられたポンプ装置において、前記ポンプハウジングは、前記ポンプ室の周壁部が形成されたハウジング本体と、前記周壁部の開口を閉塞すると共に前記ポンプ室内へ前記液体が吸入されるための吸入孔が形成されたエンドハウジングと、を有し、前記周壁部及び前記エンドハウジングの一方に形成された弾性係合片が、前記周壁部及び前記エンドハウジングの他方に形成された被係合部に係合されて、前記ハウジング本体に前記エンドハウジングが取り付けられたことを特徴とする。
【０００６】
請求項１に記載のポンプ装置によれば、ポンプ室を有するポンプハウジングは液体を貯留するためのタンクに形成された取付孔に挿入されて少なくともポンプ室がタンク内に位置して取り付けられているため、ポンプ室内もポンプ室外も共にタンクの液体に浸されている。そのため、ポンプ室を構成するハウジング本体とエンドハウジングとの取り付けにおいては水密性を確保する必要は無く、エンドハウジングは、周壁部及びエンドハウジングの一方に形成された弾性係合片が周壁部及びエンドハウジングの他方に形成された被係合部に係合されることで、ハウジング本体に取り付けられている。従って、ハウジング本体とエンドハウジングとの取付構造が簡単であるので、コスト低減を図ることができる。
【０００７】
請求項２に記載のポンプ装置は、請求項１に記載のポンプ装置において、前記ハウジング本体及び前記エンドハウジングの一方は、前記エンドハウジングの前記ハウジング本体への取付状態において、前記エンドハウジングを前記ハウジング本体に対し前記周壁部の高さ方向に付勢する付勢部を有することを特徴とする。
【０００８】
請求項２に記載のポンプ装置によれば、エンドハウジングのハウジング本体への取付状態においては、エンドハウジングが付勢部によってハウジング本体に対し周壁部の高さ方向に付勢される。これにより、エンドハウジングのハウジング本体への取付状態において、エンドハウジングが周壁部の高さ方向にガタついてエンドハウジングとインペラとのクリアランスが変化することを防止できる。これにより、ハウジング本体とエンドハウジングとの取付構造が簡単でありながらも、ポンプ特性の安定化を図ることができる。
【０００９】
請求項３に記載のポンプ装置は、請求項１に記載のポンプ装置において、前記ハウジング本体と前記エンドハウジングとの間には、前記エンドハウジングの前記ハウジング本体への取付状態において、前記エンドハウジングを前記ハウジング本体に対し前記周壁部の高さ方向に付勢する付勢部材が設けられていることを特徴とする。
【００１０】
請求項３に記載のポンプ装置によれば、エンドハウジングのハウジング本体への取付状態においては、エンドハウジングが付勢部材によってハウジング本体に対し周壁部の高さ方向に付勢される。これにより、エンドハウジングのハウジング本体への取付状態において、エンドハウジングが周壁部の高さ方向にガタついてエンドハウジングとインペラとのクリアランスが変化することを防止できる。これにより、ハウジング本体とエンドハウジングとの取付構造が簡単でありながらも、ポンプ特性の安定化を図ることができる。
【発明を実施するための最良の形態】
【００１１】
以下、本発明のポンプ装置の一実施形態について説明する。
【００１２】
図１には、本発明のポンプ装置の一実施形態に係るウォッシャポンプ１０の一部断面を含む側面図、図２には、図１のウォッシャポンプ１０がウォッシャタンク４２に取り付けられた状態を一部切り欠いて示す側面図、図３には、図１のウォッシャポンプ１０に設けられたポンプハウジング１２の要部拡大側面断面図がそれぞれ示されている。
【００１３】
はじめに、本発明の一実施形態に係るウォッシャポンプ１０の構成の概略について説明する。
【００１４】
ウォッシャポンプ１０は、ポンプの外形部を構成する略円筒状のポンプハウジング１２を備えている。このポンプハウジング１２は、後に詳述する弾性係合片４８及び被係合部５０により一体に取り付けられたハウジング本体１４とエンドハウジング１６とを有して構成されている。
【００１５】
ハウジング本体１４には、モータ室１８が形成されており、このモータ室１８には、モータ２０が収容されている。モータ２０には、軸方向一方側（Ｚ１側）へ延びる出力軸２２が設けられており、この出力軸２２は、モータ室１８の底壁部２４を貫通している。
【００１６】
また、ハウジング本体１４には、底壁部２４から軸方向一方側（Ｚ１側）に延びる周壁部２６が形成されており、この周壁部２６の開口２８は、エンドハウジング１６に形成された閉塞壁部３０によって閉塞されている。そして、このウォッシャポンプ１０では、上述の底壁部２４、周壁部２６、及び、閉塞壁部３０によってポンプ室３２が形成されている。このポンプ室３２には、インペラ３４が収容されており、インペラ３４は、上述のモータ２０の出力軸２２の端部に一体回転可能に固定されている。
【００１７】
また、エンドハウジング１６の閉塞壁部３０の中央には、軸方向に沿って吸入孔３６（インレット）が貫通形成されている。この吸入孔３６は、上述のポンプ室３２と連通されている。また、エンドハウジング１６及びハウジング本体１４には、軸方向に沿ってパイプ部３８が形成されている。このパイプ部３８は、一端が上述のポンプ室３２と連通されており、他端がハウジング本体１４から径方向外側に突出形成された吐出孔４０（アウトレット）と連通されている。なお、この吐出孔４０には、一端がウォッシャノズルと接続されたウォッシャ液送給管（不図示）の他端が接続される。
【００１８】
そして、上記構成のウォッシャポンプ１０は、ポンプハウジング１２が洗浄液Ｗを貯留するためのウォッシャタンク４２に形成された取付孔４４に挿入されると共にグロメット４６を介して取付孔４４の周縁部に固定されることでウォッシャタンク４２に一体に取り付けられている（図２も参照）。このとき、ポンプハウジング１２のウォッシャタンク４２への取付位置は、軸方向における吸入孔３６と吐出孔４０の中間部とされており、ポンプハウジング１２の軸方向一方側（Ｚ１側）に位置されるポンプ室３２は、ウォッシャタンク４２内に位置されている。
【００１９】
そして、上述の如くウォッシャポンプ１０がウォッシャタンク４２に一体に取り付けられることにより、このウォッシャポンプ１０とウォッシャタンク４２とで車両のウインドシールドガラスに洗浄液Ｗを噴射するための車両用ウォッシャ装置Ｓが構成されている（図２参照）。
【００２０】
また、この車両用ウォッシャ装置Ｓでは、モータ２０によってインペラ３４が回転されると、ウォッシャタンク４２内に貯留された洗浄液Ｗがエンドハウジング１６の閉塞壁部３０に形成された吸入孔３６を介してポンプ室３２内に吸入され、このポンプ室３２内に吸入された洗浄液Ｗがパイプ部３８を通じて吐出孔４０からウォッシャ液送給管（不図示）に吐出される。
【００２１】
次に、本発明の一実施形態に係るウォッシャポンプ１０の構成の詳細について説明する。
【００２２】
図３に示されるように、エンドハウジング１６の閉塞壁部３０には、周壁部２６の径方向外側に位置され、且つ、軸方向他方側（Ｚ２側）に延びる弾性係合片４８が形成されている。一方、ハウジング本体１４の周壁部２６には、径方向外側に突出する被係合部５０が形成されている。そして、エンドハウジング１６は、弾性係合片４８が被係合部５０に係合されることでハウジング本体１４に一体に取り付けられている。なお、この弾性係合片４８及び被係合部５０は、図２に示されるウォッシャタンク４２内に配置されて互いに係合されている。
【００２３】
また、エンドハウジング１６には、周壁部２６の径方向内側に位置され、且つ、閉塞壁部３０から軸方向他方側（Ｚ２側）に延びる環状壁部５２が形成されている。この環状壁部５２の底壁部２４側の端面には、ひれ状の付勢部５４が突出形成されている。この付勢部５４は、エンドハウジング１６のハウジング本体１４への取付状態において、底壁部２４の端面に押圧されており、エンドハウジング１６をハウジング本体１４に対し周壁部２６の高さ方向（軸方向一方側；Ｚ１側）に付勢している。
【００２４】
なお、上述の如く一体に取り付けられたハウジング本体１４とエンドハウジング１６において、エンドハウジング１６のハウジング本体１４に対する軸方向一方側（Ｚ１側）への位置決めは、弾性係合片４８と被係合部５０の係合によりなされており、このように位置決めされたエンドハウジング１６とハウジング本体１４との位置関係の維持は、付勢部５４の底壁部２４への押圧によりなされている。
【００２５】
次に、本発明の一実施形態に係るウォッシャポンプ１０の作用及び効果について説明する。
【００２６】
本発明の一実施形態に係るウォッシャポンプ１０によれば、ポンプ室３２を有するポンプハウジング１２は洗浄液Ｗを貯留するためのウォッシャタンク４２に形成された取付孔４４に挿入されて少なくともポンプ室３２がウォッシャタンク４２内に位置して取り付けられているため、ポンプ室３２内もポンプ室３２外も共にウォッシャタンク４２の洗浄液Ｗに浸されている。そのため、ポンプ室３２を構成するハウジング本体１４とエンドハウジング１６との取り付けにおいては水密性を確保する必要は無く（不完全シールで可能）、エンドハウジング１６は、閉塞壁部３０に形成された弾性係合片４８が周壁部２６に形成された被係合部５０に係合されることで、ハウジング本体１４に取り付けられている。従って、ハウジング本体１４とエンドハウジング１６との取付構造が簡単であるので、コスト低減を図ることができる（取付構造の簡素化によるコスト低減）。
【００２７】
また、ハウジング本体１４とエンドハウジング１６との取り付けは、弾性係合片４８を被係合部５０に係合するスナップフィット係合で済むので、超音波溶着や熱溶着を行う必要が無く、このことによってもコスト低減を図ることができる（取付工程の簡素化によるコスト低減）。
【００２８】
また、本発明の一実施形態に係るウォッシャポンプ１０によれば、エンドハウジング１６のハウジング本体１４への取付状態においては、エンドハウジング１６が付勢部５４によってハウジング本体１４に対し周壁部２６の高さ方向（軸方向一方側；Ｚ１側）に付勢される。これにより、エンドハウジング１６のハウジング本体１４への取付状態において、エンドハウジング１６が周壁部２６の高さ方向にガタついてエンドハウジング１６とインペラ３４とのクリアランスが変化することを防止できる。これにより、ハウジング本体１４とエンドハウジング１６との取付構造が簡単でありながらも、ポンプ特性の安定化を図ることができる。
【００２９】
次に、本発明の一実施形態に係るウォッシャポンプ１０の変形例について説明する。
【００３０】
上記実施形態では、エンドハウジング１６の閉塞壁部３０に弾性係合片４８が形成されると共に、ハウジング本体１４の周壁部２６に被係合部５０が形成され、弾性係合片４８が被係合部５０に係合されることにより、エンドハウジング１６がハウジング本体１４に取り付けられていたが、図４に示されるように構成されていても良い。
【００３１】
すなわち、図４に示されるように、ハウジング本体１４の周壁部２６に弾性係合片４８が形成されると共に、エンドハウジング１６の閉塞壁部３０に被係合部５０が形成され、弾性係合片４８が被係合部５０に係合されることにより、エンドハウジング１６がハウジング本体１４に取り付けられていても良い。
【００３２】
この図４に示される変形例のように構成されていても、ハウジング本体１４とエンドハウジング１６との取付構造を簡単にでき、コスト低減を図ることができる。
【００３３】
また、上記実施形態では、エンドハウジング１６の環状壁部５２に付勢部５４が設けられ、この付勢部５４が、エンドハウジング１６のハウジング本体１４への取付状態において、エンドハウジング１６をハウジング本体１４に対し周壁部２６の高さ方向（軸方向一方側；Ｚ１側）に付勢していたが、図５に示されるように構成されていても良い。
【００３４】
すなわち、図５に示されるように、ハウジング本体１４の底壁部２４に付勢部５４が設けられ、この付勢部５４が、エンドハウジング１６のハウジング本体１４への取付状態において、エンドハウジング１６をハウジング本体１４に対し周壁部２６の高さ方向（軸方向一方側；Ｚ１側）に付勢していても良い。
【００３５】
この図５に示される変形例のように構成されていても、エンドハウジング１６が周壁部２６の高さ方向にガタついてエンドハウジング１６とインペラ３４とのクリアランスが変化することを防止でき、これにより、ハウジング本体１４とエンドハウジング１６との取付構造が簡単でありながらも、ポンプ特性の安定化を図ることができる。
【００３６】
また、上記実施形態では、エンドハウジング１６のハウジング本体１４への取付状態において、エンドハウジング１６をハウジング本体１４に対し周壁部２６の高さ方向（軸方向一方側；Ｚ１側）に付勢するための付勢部５４がエンドハウジング１６に一体に形成されていたが、図６，図７に示されるように構成されていても良い。
【００３７】
すなわち、図６に示されるように、ハウジング本体１４の周壁部２６とエンドハウジング１６の閉塞壁部３０との軸方向間に、弾性ゴム製の環状のパッキン５６が設けられ、このパッキン５６が、エンドハウジング１６のハウジング本体１４への取付状態において、エンドハウジング１６をハウジング本体１４に対し周壁部２６の高さ方向（軸方向一方側；Ｚ１側）に付勢していても良い。
【００３８】
なお、図６に示されるように構成された場合、エンドハウジング１６のハウジング本体１４に対する軸方向一方側（Ｚ１側）への位置決めは、弾性係合片４８と被係合部５０の係合によりなされ、エンドハウジング１６のハウジング本体１４に対する軸方向他方側（Ｚ２側）への位置制限は、環状壁部５２の底壁部２４への当接によりなされる。そして、位置決めされたエンドハウジング１６とハウジング本体１４との位置関係の維持は、圧縮配置されたパッキン５６の復元力によりなされている。
【００３９】
また、図７に示されるように、ハウジング本体１４の底壁部２４とエンドハウジング１６の環状壁部５２との軸方向間に、弾性ゴム製のＯリング５８が設けられ、このＯリング５８が、エンドハウジング１６のハウジング本体１４への取付状態において、エンドハウジング１６をハウジング本体１４に対し周壁部２６の高さ方向（軸方向一方側；Ｚ１側）に付勢していても良い。
【００４０】
この図６，図７に示される変形例のように構成されていても、エンドハウジング１６が周壁部２６の高さ方向にガタついてエンドハウジング１６とインペラ３４とのクリアランスが変化することを防止でき、これにより、ハウジング本体１４とエンドハウジング１６との取付構造が簡単でありながらも、ポンプ特性の安定化を図ることができる。
【００４１】
なお、図６，図７に示される変形例のように構成された場合、パッキン５６又はＯリング５８を追加することにより部品点数が増えてしまうが、これらの部材の組み付けは超音波溶着や熱溶着等よりも容易であり、その組付装置も超音波溶着装置や熱溶着装置等よりも安価である。従って、パッキン５６又はＯリング５８を追加しても、トータルコストを低減できる。また、ポンプ室内の圧力漏れの発生をも防止できる。
【００４２】
また、上記実施形態では、エンドハウジング１６の閉塞壁部３０に形成されれた弾性係合片４８が、ハウジング本体１４の外周部２７（図３参照）よりも径方向外側に位置されていたが、例えば、図８に示されるように、ハウジング本体１４の外周部２７と径方向に並ぶ位置に設けられていても良い。
【図面の簡単な説明】
【００４３】
【図１】本発明の一実施形態に係るウォッシャポンプの一部断面を含む側面図である。
【図２】図１のウォッシャポンプがウォッシャタンクに取り付けられた状態を一部切り欠いて示す側面図である。
【図３】図１のウォッシャポンプに設けられたポンプハウジングの要部拡大側面断面図である。
【図４】本発明の一実施形態のウォッシャポンプに設けられたポンプハウジングの第一変形例を示す図である。
【図５】本発明の一実施形態のウォッシャポンプに設けられたポンプハウジングの第二変形例を示す図である。
【図６】本発明の一実施形態のウォッシャポンプに設けられたポンプハウジングの第三変形例を示す図である。
【図７】本発明の一実施形態のウォッシャポンプに設けられたポンプハウジングの第四変形例を示す図である。
【図８】本発明の一実施形態のウォッシャポンプに設けられたポンプハウジングの第五変形例を示す図である。
【符号の説明】
【００４４】
１０…ウォッシャポンプ（ポンプ装置）、１２…ポンプハウジング、１４…ハウジング本体、１６…エンドハウジング、１８…モータ室、２０…モータ、２２…出力軸、２４…底壁部、２６…周壁部、２７・・・外周部、２８…開口、３０…閉塞壁部、３２…ポンプ室、３４…インペラ、３６…吸入孔、３８…パイプ部、４０…吐出孔、４２…ウォッシャタンク（タンク）、４４…取付孔、４６…グロメット、４８…弾性係合片、５０…被係合部、５２…環状壁部、５４…付勢部、５６…パッキン（付勢部材）、５８…Ｏリング（付勢部材）
【図１】
2008265485.tif 000003
【図２】
2008265485.tif 000004
【図３】
2008265485.tif 000005
【図４】
2008265485.tif 000006
【図５】
2008265485.tif 000007
【図６】
2008265485.tif 000008
【図７】
2008265485.tif 000009
【図８】
2008265485.tif 000010